(57)【要約】【課題】ヒンジ部の径を多少小さくしてもフレキシブル基板に余計な屈曲力が作用せず、フレキシブル基板が損傷しない優れた折畳式電気機器を提供する。【解決手段】第１、第２の筒状部１６ａ、１６ｂを構成するそれぞれの半円筒状部１７ａ、１８ｂと、第１の筒状部１６ａを構成するほぼ平板状のフレキシブル基板引出し用案内部１７ｂの内面には、テフロンシートなどの摩擦抵抗の小さいシート状の滑り促進部材２１ａ、２１ｂ、２１ｃがそれぞれ接着、その他の方法で装着されている。第１、第２の筐体１、２を互いにヒンジ部３を中心に回動した際に、フレキシブル基板２０の一部が筒状部１６ａ、１６ｂの内面に接触したとしても、摩擦抵抗の小さいシート状の滑り促進部材２１ａ、２１ｂ、２１ｃによってフレキシブル基板２０に大きな屈曲力、摩擦力などが加わることがほとんどない。【選択図】図３
2008047930.tif 000002
【特許請求の範囲】
【請求項１】
第１、第２の筐体を互いに回動自在に枢着するヒンジ部と、
前記第１、第２の筐体内に設けられた複数の回路基板と、
前記回路基板を互いに電気的に接続するフレキシブル基板と、
前記フレキシブル基板の一部に形成した捲回部と、
前記ヒンジ部に同軸に形成され、前記捲回部を収納する筒状部と、
前記第１の筐体の表面より上方に位置し、前記筒状部の一部を構成する上半円筒部と、
前記上半円筒部の内面に設けられ、前記筒状部より摩擦抵抗の小さい滑り促進部材と、
を備えた折畳式電気機器。
【発明の詳細な説明】
【技術分野】
【０００１】
本発明は、第１、第２の筐体を有し、これらの筐体をヒンジ部で互いに回動自在に枢着した折畳式の電気機器に関する。
【背景技術】
【０００２】
一般に、第１、第２の筐体を互いに回動自在に枢着した、いわゆる、折畳式の電気機器は、携帯電話機、ＰＤＡ、その他の機器で公知である。
【０００３】
ところで、これらの機器において、第１、第２の筐体にはそれぞれプリント基板、電子部品などが収納されており、これらを互いに電気的に接続するために、フレキシブル基板が多く用いられている。そして、この場合、フレキシブル基板が直接外部に露出しないようにするために、ヒンジ部に同軸上に筒状部を形成し、この筒状部にフレキシブル基板を収納するようにしたり、フレキシブル基板が第１、第２の筐体の互いの回動によって屈曲され切断されるのを防止するために、前記筒状部の内部においてフレキシブル基板を１回転捲回しフレキシブル基板に屈曲力が作用しないようにしたりしている。
【特許文献１】特開平９−１３００６２号公報
【発明の開示】
【発明が解決しようとする課題】
【０００４】
しかしながら、このようにヒンジ部に同軸上に筒状部を形成し、この筒状部にフレキシブル基板を１回転捲回した状態で収納した場合には、筒状部自体の径を相当大きくしないとフレキシブル基板に大きな湾曲力が作用し、筒状部、曳いては、ヒンジ部を小さく構成することができないという問題があった。
【０００５】
本発明は、以上のような従来の問題を解決するものであり、ヒンジ部の径を多少小さくしてもフレキシブル基板に余計な屈曲力が作用せず、フレキシブル基板が損傷しない優れた折畳式電気機器を提供するものである。
【課題を解決するための手段】
【０００６】
本発明は、第１、第２の筐体を互いに回動自在に枢着するヒンジ部と、前記第１、第２の筐体内に設けられた複数の回路基板と、前記回路基板を互いに電気的に接続するフレキシブル基板と、前記フレキシブル基板に形成した捲回部と、前記ヒンジ部に同軸に形成され、前記捲回部を収納する筒状部と、前記第１の筐体の表面より上方に位置し、前記筒状部の一部を構成する上半円筒部と、前記上半円筒部の内面に設けられ、前記筒状部より摩擦抵抗の小さい滑り促進部材と、を備えた構成とした。
【０００７】
この構成により、フレキシブル基板が第１、第２の筐体の回動により変形してその一部が筒状部の内面に接触してもその面に滑り促進部材が設けられているため、フレキシブル基板が全体としてスムーズに動くことになり、余計な屈曲力が作用せず、フレキシブル基板が切断したり、破損したりするのを容易に防止することができる。
【０００８】
さらに、ヒンジ部及筒状部が共に第１の筐体の表面より前方に突出するように構成されたものにおいて最も問題となる第１、第２の筒状体を構成するそれぞれの上半円筒部の内面に滑り促進部材を設けているため、この滑り促進部材だけでフレキシブル基板に余計な屈曲力が作用するのを充分に排除することができ、全体の構成としても非常に効率的になるという効果を有する。
【発明の効果】
【０００９】
本発明は、フレキシブル基板が切断したり、破損したりするのを容易に防止することができ、充分な寿命を保持することができるという利点を有する。
【発明を実施するための最良の形態】
【００１０】
以下、本発明の実施の形態について図面を用いて説明する。
図１は、本発明の一実施の形態における折畳式電気機器の斜視図、図２は、同電気機器の要部分解斜視図、図３は、同電気機器を分解した各部の平面図、図４は、同電気機器の要部の断面図、図５は同要部の動作を説明する断面図である。
【００１１】
図１において、折畳式の電気機器である携帯電話機は、第１、第２の筐体１、２と、これらを互いに回動自在に枢着するヒンジ部３とを備えている。第１、第２の筐体１、２は、それぞれ互いに係合する上ケース１ａ、２ａ、下ケース１ｂ，２ｂで構成され、第１の筐体の上ケース１ａには、ファンクションキー４、テンキー５、送話用の音孔６、呼出音発生用の音孔７などが設けられ、第２の筐体２の上ケース２ａには、液晶表示器８、受話用の音孔９などが設けられ、第２の筐体２の下ケース２ｂには、アンテナ１０などが設けられている。
【００１２】
そして、ヒンジ部３は、図２に示すように、第１、第２の筐体１、２を構成するそれぞれの上ケース１ａ、２ａにそれぞれ一体に形成された第１、第２の軸受部１１ａ、１１ｂ、１２ａ、１２ｂと、これらの軸受部１１ａ、１１ｂ、１２ａ、１２ｂに形成した透孔１３ａ、１３ｂ、１４ａ、１４ｂにそれぞれ貫通するように挿入された第１、第２の軸１５ａ、１５ｂによって構成されている。
【００１３】
ヒンジ部３は、前述したように、軸受部１１ａ、１１ｂ、１２ａ、１２ｂとこれらの軸受部１１ａ、１１ｂ、１２ａ、１２ｂに挿入された軸１５ａ、１５ｂによって構成されているが、同時に、これらの軸受部１２ａ、１２ｂの間には、これらの軸受部１１ａ、１１ｂ、１２ａ、１２ｂと同軸上に第１、第２の筒状部１６ａ、１６ｂが配置されている。
【００１４】
そして、第１の筒状部１６ａは、図３に示すように、第１の筐体１を構成する上ケース１ａに一体に形成された半円筒状部１７ａと、この半円筒状部１７ａに連結されるように、同じ第１の筐体１を構成する下ケース１ｂに一体に形成されたほぼ平板状のフレキシブル基板引出し用案内部１７ｂとで構成され、また、第２の筒状部１６ｂは、第２の筐体２を構成する上ケース２ａに一体に形成された半円筒状部１８ａと、この半円筒状部１８ａに連結されるように、同じ第２の筐体１を構成する下ケース１ｂに一体に形成された半円筒状部１８ｂとで構成されている。
【００１５】
また、第１、第２の筐体１、２には、それぞれキーボードを構成する接点や液晶表示器８を駆動する電気回路、その他の回路を構成する各種電気部品を取付けた第１、第２のプリント基板１９ａ、１９ｂが収納されており、これらの第１、第２のプリント基板１９ａ、１９ｂは、図３に示すように、１回転だけ捲回したフレキシブル基板２０で互いに電気的に接続されている。
【００１６】
すなわち、フレキシブル基板２０は、両端がそれぞれ第１、第２のプリント基板１９ａ、１９ｂに接続され、中央部が１回転だけ捲回されている。そして、捲回された、いわゆる、捲回部２０ａは、図４、図５に示すように、プリント基板１９ａ、１９ｂをそれぞれ第１、第２の筐体１、２の所定の位置に取付けたとき、それぞれ第１、第２の筒状部１６ａ、１６ｂに収納されるように構成されている。
【００１７】
そして、先に説明した第１、第２の筒状部１６ａ、１６ｂを構成するそれぞれの半円筒状部１７ａ、１８ａと、第１の筒状部１６ａを構成するほぼ平板状のフレキシブル基板引出し用案内部１７ｂの内面には、図３〜図５に示すように、フレキシブル基板２０が接触してもそれによってフレキシブル基板に余分な力が加わらないようにするためのテフロンシートなどの摩擦抵抗の小さいシート状の滑り促進部材２１ａ、２１ｂ、２１ｃがそれぞれ接着、その他の方法で装着されている。
【００１８】
このように、本実施の形態は、第１、第２の筐体１、２に一体に形成した筒状部１６ａ、１６ｂの内面に、それぞれ摩擦抵抗の小さいシート状の滑り促進部材２１ａ、２１ｂ、２１ｃを装着しており、図４、図５に示すように、第１、第２の筐体１、２を互いにヒンジ部３を中心に回動した際に、フレキシブル基板２０の一部が筒状部１６ａ、１６ｂの内面に接触したとしても、摩擦抵抗の小さいシート状の滑り促進部材２１ａ、２１ｂ、２１ｃによってフレキシブル基板２０に大きな屈曲力、摩擦力などが加わることがほとんどなく、フレキシブル基板２０の寿命を大きく改善することができ、また、ヒンジ部３自体をそれだけ径の小さいものにすることができる。以下、このことについて、より詳しく説明する。
【００１９】
一般に、フレキシブル基板２０は、湾曲自在であるが、それでも極端に小さい径まで湾曲させることは不可能である。また、本実施の形態のように、フレキシブル基板２０に捲回部２０ａを設け、その捲回部２０ａを有するフレキシブル基板２０で互いに回動可能な筐体１、２内のプリント基板１９ａ、１９ｂを電気的に接続した場合、図４、図５に示すように、筐体１、２を互いに開いた状態と、互いに閉じた状態で、それぞれフレキシブル基板２０に形成した捲回部２０ａの径が大きく異なることになる。すなわち、筐体１、２を閉じた状態では、図５に示すように、フレキシブル基板２０の捲回部２０ａにおける径が一番小さい状態になるが、ここで、その径はフレキシブル基板２０の湾曲可能範囲で制限を受け、極端に小さくすることができない。また、開いた状態では、図４に示すように、フレキシブル基板２０の捲回部２０ａにおける径が一番大きな状態になるが、ここで、その大きさは筒状部１６ａ、１６ｂの内径を決定する要素になり、筒状部１６ａ、１６ｂの内径をそれ以下に小さくすることはできないことになる。
【００２０】
ところで、本実施の形態によれば、筒状部１６ａ、１６ｂの内面に摩擦抵抗の小さい滑り促進部材２１ａ、２２ｂを設けたため、筒状部１６ａ、１６ｂの内径を比較的小さくし、筐体１、２を互いに開いた状態、あるいは、開く段階で、フレキシブル基板２０の捲回部２０ａが一部筒状部１６ａ、１６ｂの内面に接触するような状態になったとしても、これによって直ちにフレキシブル基板２０の捲回部２０ａに余分な屈曲力、摩擦力などが発生することがなく、フレキシブル基板２０をスムーズに湾曲させ、寿命を充分保持させることができる。
【００２１】
そして、本実施の形態では、ヒンジ部３が第１の筐体１の表面より前方に突出するように、軸受部１１ａ、１１ｂ、筒状部１６ａ、１６ｂをそれぞれ第１の筐体１を構成する上ケース１ａの端部より前方に突出するように一体に形成している。したがって、図４、図５に示すように、フレキシブル基板２０の一方、すなわち、第２の筐体２に内装した第２のプリント基板１９ｂに接続される側は、第２の筒状部１６ｂから比較的直線的に第２のプリント基板１９ｂ側に伸び、ここで第２のプリント基板１９ｂに接続されているが、フレキシブル基板２０の他方、すなわち、第１の筐体１に内装した第１のプリント基板１９ａに接続される側は、筒状部１６ａが第１の筐体１の表面より前方に突出していることから、一旦、フレキシブル基板引出し用案内部１７ｂを通して第１の筐体１の内部に引込まれ、そこで約９０度湾曲されて第１の筐体１に内装した第１のプリント基板１９ａに接続されるようにしている。
【００２２】
そのため、フレキシブル基板２０が約９０度湾曲されるフレキシブル基板引出し用案内部１７ｂでは、筐体１、２の開閉に伴い、フレキシブル基板２０が一部前記フレキシブル基板引出し用案内部１７ｂに必ずと言って良いほど接触する。したがって、本実施の形態では、フレキシブル基板２０が約９０度湾曲されるフレキシブル基板引出し用案内部１７ｂは、フレキシブル基板２０がスムーズに湾曲されるように、フレキシブル基板２０の湾曲にほぼ沿った形状に形成すると共に、このフレキシブル基板引出し用案内部１７ｂにも摩擦抵抗の小さい滑り促進部材２１ｃを設けている。その結果、本実施の形態では、この部分での摩擦も少なくなり、ヒンジ部３が筐体１より前方に突出しているにも関わらず、全体としてフレキシブル基板２０がスムーズに湾曲し、余分な屈曲力、摩擦力がほとんど作用しないという利点を有する。
【００２３】
尚、本実施の形態では、携帯電話機を例に説明したが、本発明は、ＰＤＡ、その他の電気機器であっても同様に適用することができる。
【産業上の利用可能性】
【００２４】
本発明は、フレキシブル基板が全体としてスムーズに動くことになり、余計な屈曲力が作用せず、フレキシブル基板が切断したり、破損したりするのを容易に防止することができ、充分な寿命を保持することができるという効果を有し、第１、第２の筐体をヒンジ部で互いに回動自在に枢着した折畳式の電気機器等として有用である。
【図面の簡単な説明】
【００２５】
【図１】本発明の一実施の形態における折畳式電気機器の斜視図
【図２】本発明の一実施の形態における折畳式電気機器の要部分解斜視図
【図３】本発明の一実施の形態における折畳式電気機器の各部の正面図であり、（Ａ）上ケースを内側から見た正面図、（Ｂ）下ケースを内側から見た正面図、（Ｃ）フレキシブル基板で接続されたプリント基板の正面図
【図４】本発明の一実施の形態における折畳式電気機器の要部断面図
【図５】本発明の一実施の形態における折畳式電気機器の動作を説明する要部断面図
【符号の説明】
【００２６】
１  第１の筐体
１ａ  上ケース
１ｂ  下ケース
２  第２の筐体
２ａ  上ケース
２ｂ  下ケース
３  ヒンジ部
４  ファンクションキー
５  テンキー
６  送話用音孔
７  呼出音発生用音孔
８  液晶表示器
９  受話用音孔
１０  アンテナ
１１ａ、１１ｂ、１２ａ、１２ｂ   軸受部
１３ａ、１３ｂ、１４ａ、１４ｂ  透孔
１５ａ、１５ｂ  軸
１６ａ、１６ｂ  筒状部
１７ａ  半円筒状部
１７ｂ  フレキシブル基板引出し用案内部
１８ａ、１８ｂ  半円筒状部
１９ａ、１９ｂ  プリント基板
２０  フレキシブル基板
２０ａ  捲回部
２１ａ、２１ｂ、２１ｃ  滑り促進部材
【図１】
2008047930.tif 000003
【図２】
2008047930.tif 000004
【図３】
2008047930.tif 000005
【図４】
2008047930.tif 000006
【図５】
2008047930.tif 000007